(57)【要約】【課題】検索結果を単に一覧表示する場合に比して、ユーザが意図する検索結果を見つけやすくする。【解決手段】情報処理装置１０は、複数の語句を意味的な関係性で関連付けることにより構造化された語句関連情報を記憶する語句関連情報記憶部１７と、語句とコンテンツ（事例又は文書）とを紐付ける語句コンテンツ関連情報を記憶する語句コンテンツ関連情報記憶部１８と、ユーザが入力した検索語句から当該ユーザが専門性のない一般ユーザと判別された場合、語句関連情報及び語句関連情報を参照して語句の階層上、検索語句から下位層に位置する語句と当該語句のうち最下位層に位置する語句に直接紐付く事例との関連性を示す検索支援情報を生成する検索支援情報生成部１４と、検索支援情報をグラフ形式にて表示させる表示制御部１５と、を有する。【選択図】図１
2020113048.tif 000002
【特許請求の範囲】
【請求項１】
複数の語句を意味的な関係性で関連付けることにより構造化された語句関連情報及び語句と当該語句に紐付く事例との関連性を示す語句事例関連情報を含む知識情報を取得する取得手段と、
前記知識情報を参照して、ユーザにより指定された検索条件に含まれる検索語句と、当該検索語句に紐付く語句及び事例との関連性を示す検索支援情報を生成する生成手段と、
前記検索支援情報をグラフ形式にて表示するよう制御する表示制御手段と、
を有することを特徴とする情報処理装置。
【請求項２】
前記表示制御手段は、前記検索語句の前記知識情報における階層位置又はユーザ指示に応じて前記検索支援情報を表示させるかどうかを決定することを特徴とする請求項１に記載の情報処理装置。
【請求項３】
前記表示制御手段は、前記知識情報において下位層ほど専門性のレベルが高くなるよう語句の階層が形成されている場合であって事例を語句の階層の最下位に位置する語句と直接紐付けることで語句と事例との関連性が示されている場合、前記検索語句と当該検索語句に紐付く事例との間の階層数が所定の閾値より多い場合に前記検索支援情報を表示させることを特徴とする請求項２に記載の情報処理装置。
【請求項４】
前記表示制御手段は、前記知識情報において下位層ほど専門性のレベルが高くなるよう語句の階層が形成されている場合であって事例を語句の階層の最下位に位置する語句と直接紐付けることで語句と事例との関連性が示されている場合、前記検索語句を含む階層における最上位層の語句から当該検索語句までの階層数が所定の閾値より少ない場合に前記検索支援情報を表示させることを特徴とする請求項２に記載の情報処理装置。
【請求項５】
前記表示制御手段は、前記知識情報において下位層ほど専門性のレベルが高くなるよう語句の階層が形成されている場合であって事例を語句の階層の最下位に位置する語句と直接紐付けることで語句と事例との関連性が示されている場合、前記検索語句と当該検索語句に紐付く事例との間の階層数が所定の閾値以下の場合に前記検索支援情報を表示させないことを特徴とする請求項２に記載の情報処理装置。
【請求項６】
前記表示制御手段は、ユーザにより検索条件が指定されると、前記検索支援情報の表示をユーザに促す表示部品を画面に表示させ、ユーザにより前記表示部品が選択されることに応じて前記検索支援情報を表示させることを特徴とする請求項２に記載の情報処理装置。
【請求項７】
前記生成手段は、前記知識情報に設定されている事例のうち前記検索語句に紐付く事例との関連性を前記検索支援情報に含めて生成することを特徴とする請求項１に記載の情報処理装置。
【請求項８】
前記生成手段は、前記検索語句との関連性を示す指標値が所定の閾値以上となる事例との関連性のみを前記検索支援情報に含めて生成することを特徴とする請求項７に記載の情報処理装置。
【請求項９】
前記生成手段は、前記知識情報において下位層ほど専門性のレベルが高くなるよう語句の階層が形成されている場合、前記知識情報において前記検索語句を含む階層の最下位層の語句に直接紐付く事例との関連性のみを前記検索支援情報に含めて生成することを特徴とする請求項７に記載の情報処理装置。
【請求項１０】
前記生成手段は、前記検索条件に複数の検索語句が含まれている場合、複数の検索語句の少なくとも1つに紐付く事例との関連性のみを前記検索支援情報に含めて生成することを特徴とする請求項７に記載の情報処理装置。
【請求項１１】
前記表示制御手段は、表示されている前記検索支援情報において関連性が示されていない事例を追加表示させるための追加表示部品を画面に表示させ、
前記生成手段は、ユーザにより前記追加表示部品が選択されると、前記検索語句に紐付く事例のうち前記検索支援情報に含めていない事例との関連性を前記検索支援情報に追加することを特徴とする請求項７に記載の情報処理装置。
【請求項１２】
前記検索条件に含まれる検索語句に基づき検索を実行する実行手段を有し、
前記生成手段は、前記知識情報において下位層ほど専門性のレベルが高くなるよう語句の階層が形成されている場合、前記知識情報において前記検索語句を含む階層の最下位層に位置する語句に紐付く検索結果との関連性を前記検索支援情報に含めて生成することを特徴とする請求項１に記載の情報処理装置。
【請求項１３】
前記生成手段は、前記実行手段による検索結果のうち当該検索結果と前記検索語句との関連性を示す指標値が所定の閾値以上の検索結果との関連性を前記検索支援情報に含めて生成することを特徴とする請求項１２に記載の情報処理装置。
【請求項１４】
前記検索条件に含まれる検索語句に基づき検索を実行する実行手段を有し、
前記生成手段は、表示されている前記検索支援情報の中からユーザにより事例が選択されると、当該選択された事例に直接紐付く語句に紐付く検索結果との関連性を前記検索支援情報に追加することを特徴とする請求項１に記載の情報処理装置。
【請求項１５】
コンピュータを、
複数の語句を意味的な関係性で関連付けることにより構造化された語句関連情報及び語句と当該語句に紐付く事例との関連性を示す語句事例関連情報を含む知識情報を取得する取得手段、
前記知識情報を参照して、ユーザにより指定された検索条件に含まれる検索語句と、当該検索語句に紐付く語句及び事例との関連性を示す検索支援情報を生成する生成手段、
前記検索支援情報をグラフ形式にて表示するよう制御する表示制御手段、
として機能させるためのプログラム。
【発明の詳細な説明】
【技術分野】
【０００１】
本発明は、情報処理装置及びプログラムに関する。
【背景技術】
【０００２】
所望の情報（コンテンツ）を検索により取得したい場合、ユーザは、その情報と関連性が高いと考える語句（検索キーワード）を検索条件に指定して検索を実行する。検索の実行により得られた検索結果（コンテンツ）は、通常、一覧表示される。
【０００３】
一覧表示された検索結果の中にユーザが意図するコンテンツが含まれていたとしても検索結果が膨大な量の場合、ユーザは、検索条件に指定する検索キーワードを代えたり、追加したりして検索を再度試みたりする。
【先行技術文献】
【特許文献】
【０００４】
【特許文献１】特許第５０８５７０８号明細書
【特許文献２】特開２００６−０８５３８９号公報
【発明の概要】
【発明が解決しようとする課題】
【０００５】
膨大な量の検索結果が得られる理由の1つとして、ユーザが効果的な語句を検索条件に指定できていないことがある。例えば、ユーザが検索数を絞り込むのに有効と考えられる専門性のある語句を知らないために汎用的一般的な語句でしか検索条件に指定できない場合、ユーザが意図するコンテンツと関連性に低いコンテンツも検索結果に含まれてしまう。このため、ユーザは、膨大な量の一覧表示された検索結果の中からユーザが意図するコンテンツを見つけるのに苦労を要する場合がある。
【０００６】
本発明は、検索結果を単に一覧表示する場合に比して、ユーザが意図する検索結果を見つけやすくすることを目的とする。
【課題を解決するための手段】
【０００７】
本発明に係る情報処理装置は、複数の語句を意味的な関係性で関連付けることにより構造化された語句関連情報及び語句と当該語句に紐付く事例との関連性を示す語句事例関連情報を含む知識情報を取得する取得手段と、前記知識情報を参照して、ユーザにより指定された検索条件に含まれる検索語句と、当該検索語句に紐付く語句及び事例との関連性を示す検索支援情報を生成する生成手段と、前記検索支援情報をグラフ形式にて表示するよう制御する表示制御手段と、を有することを特徴とする。
【０００８】
また、前記表示制御手段は、前記検索語句の前記知識情報における階層位置又はユーザ指示に応じて前記検索支援情報を表示させるかどうかを決定することを特徴とする。
【０００９】
また、前記表示制御手段は、前記知識情報において下位層ほど専門性のレベルが高くなるよう語句の階層が形成されている場合であって事例を語句の階層の最下位に位置する語句と直接紐付けることで語句と事例との関連性が示されている場合、前記検索語句と当該検索語句に紐付く事例との間の階層数が所定の閾値より多い場合に前記検索支援情報を表示させることを特徴とする。
【００１０】
また、前記表示制御手段は、前記知識情報において下位層ほど専門性のレベルが高くなるよう語句の階層が形成されている場合であって事例を語句の階層の最下位に位置する語句と直接紐付けることで語句と事例との関連性が示されている場合、前記検索語句を含む階層における最上位層の語句から当該検索語句までの階層数が所定の閾値より少ない場合に前記検索支援情報を表示させることを特徴とする。
【００１１】
また、前記表示制御手段は、前記知識情報において下位層ほど専門性のレベルが高くなるよう語句の階層が形成されている場合であって事例を語句の階層の最下位に位置する語句と直接紐付けることで語句と事例との関連性が示されている場合、前記検索語句と当該検索語句に紐付く事例との間の階層数が所定の閾値以下の場合に前記検索支援情報を表示させないことを特徴とする。
【００１２】
また、前記表示制御手段は、ユーザにより検索条件が指定されると、前記検索支援情報の表示をユーザに促す表示部品を画面に表示させ、ユーザにより前記表示部品が選択されることに応じて前記検索支援情報を表示させることを特徴とする。
【００１３】
また、前記生成手段は、前記知識情報に設定されている事例のうち前記検索語句に紐付く事例との関連性を前記検索支援情報に含めて生成することを特徴とする。
【００１４】
また、前記生成手段は、前記検索語句との関連性を示す指標値が所定の閾値以上となる事例との関連性のみを前記検索支援情報に含めて生成することを特徴とする。
【００１５】
また、前記生成手段は、前記知識情報において下位層ほど専門性のレベルが高くなるよう語句の階層が形成されている場合、前記知識情報において前記検索語句を含む階層の最下位層の語句に直接紐付く事例との関連性のみを前記検索支援情報に含めて生成することを特徴とする。
【００１６】
また、前記生成手段は、前記検索条件に複数の検索語句が含まれている場合、複数の検索語句の少なくとも1つに紐付く事例との関連性のみを前記検索支援情報に含めて生成することを特徴とする。
【００１７】
また、前記表示制御手段は、表示されている前記検索支援情報において関連性が示されていない事例を追加表示させるための追加表示部品を画面に表示させ、前記生成手段は、ユーザにより前記追加表示部品が選択されると、前記検索語句に紐付く事例のうち前記検索支援情報に含めていない事例との関連性を前記検索支援情報に追加することを特徴とする。
【００１８】
また、前記検索条件に含まれる検索語句に基づき検索を実行する実行手段を有し、前記生成手段は、前記知識情報において下位層ほど専門性のレベルが高くなるよう語句の階層が形成されている場合、前記知識情報において前記検索語句を含む階層の最下位層に位置する語句に紐付く検索結果との関連性を前記検索支援情報に含めて生成することを特徴とする。
【００１９】
また、前記生成手段は、前記実行手段による検索結果のうち当該検索結果と前記検索語句との関連性を示す指標値が所定の閾値以上の検索結果との関連性を前記検索支援情報に含めて生成することを特徴とする。
【００２０】
また、前記検索条件に含まれる検索語句に基づき検索を実行する実行手段を有し、前記生成手段は、表示されている前記検索支援情報の中からユーザにより事例が選択されると、当該選択された事例に直接紐付く語句に紐付く検索結果との関連性を前記検索支援情報に追加することを特徴とする。
【００２１】
本発明に係るプログラムは、コンピュータを、複数の語句を意味的な関係性で関連付けることにより構造化された語句関連情報及び語句と当該語句に紐付く事例との関連性を示す語句事例関連情報を含む知識情報を取得する取得手段、前記知識情報を参照して、ユーザにより指定された検索条件に含まれる検索語句と、当該検索語句に紐付く語句及び事例との関連性を示す検索支援情報を生成する生成手段、前記検索支援情報をグラフ形式にて表示するよう制御する表示制御手段として機能させる。
【発明の効果】
【００２２】
請求項１に記載の発明によれば、検索結果を単に一覧表示する場合に比して、ユーザが意図する検索結果を見つけやすくすることができる。
【００２３】
請求項２に記載の発明によれば、検索語句の専門性のレベルに応じて検索支援情報を表示させるかどうかを決めることができる。
【００２４】
請求項３に記載の発明によれば、検索語句は専門性のレベルの低い語句と推定して検索支援情報を表示させることができる。
【００２５】
請求項４に記載の発明によれば、検索語句は専門性のレベルの低い語句と推定して検索支援情報を表示させることができる。
【００２６】
請求項５に記載の発明によれば、検索語句は専門性のレベルの高い語句と推定して検索支援情報を表示させないようにすることができる。
【００２７】
請求項６に記載の発明によれば、検索支援情報の表示の有無をユーザに選択させることができる。
【００２８】
請求項７に記載の発明によれば、検索語句に関連する事例のみを表示対象とすることができる。
【００２９】
請求項８に記載の発明によれば、ユーザが求める検索結果に関連すると推測される事例のみを表示対象とすることができる。
【００３０】
請求項９に記載の発明によれば、専門性の高い語句に関連する事例のみを表示対象とすることができる。
【００３１】
請求項１０に記載の発明によれば、事例を絞り込んで表示させることができる。
【００３２】
請求項１１に記載の発明によれば、検索語句と関連性のある事例を追加表示させることができる。
【００３３】
請求項１２に記載の発明によれば、ユーザが求める検索結果と推測される検索結果との関連性を合わせて表示させることができる。
【００３４】
請求項１３に記載の発明によれば、ユーザが求める検索結果とより確実に推測される検索結果との関連性を合わせて表示させることができる。
【００３５】
請求項１４に記載の発明によれば、ユーザが選択した事例に紐付く検索結果との関連性を追加表示させることができる。
【００３６】
請求項１５に記載の発明によれば、検索結果を単に一覧表示する場合に比して、ユーザが意図する検索結果を見つけやすくすることができる。
【図面の簡単な説明】
【００３７】
【図１】本発明に係る情報処理装置の一実施の形態を示したブロック構成図である。
【図２】本実施の形態における語句関連情報記憶部に設定登録される語句関連情報に含まれる各語句の関係性を模式的に示す図である。
【図３】本実施の形態における語句コンテンツ関連情報記憶部に設定登録される語句コンテンツ関連情報のデータ構成の一例を示す図である。
【図４】本実施の形態における表示制御部が表示対象とする検索サービス画面の概略的な画面構成の一例を示す図である。
【図５】本実施の形態における検索処理を示すフローチャートである。
【図６】本実施の形態における検索処理が実行される際に対話表示領域に表示される画面の一例を示す図である。
【図７】本実施の形態において検索語句に関連する語句、事例及び文書の関係性を模式的に示す図である。
【図８】本実施の形態において専門ユーザモードで検索が実行されたときの検索結果を検索結果表示領域に表示したときの表示例を示す図である。
【図９】本実施の形態において利用する関連度の概念を説明するための図である。
【図１０】本実施の形態において一般ユーザモードで検索が実行されたときの検索結果を、専門ユーザモードと同様の一覧形式にて表示した場合の表示例を示す図である。
【図１１】本実施の形態において一般ユーザモードで検索が実行されたときの検索結果を検索結果表示領域にグラフ形式にて表示した場合の表示の一例を示す図である。
【図１２】図１１において事例（コンテンツ）がユーザにより選択された場合の表示一例を示す図である。
【図１３】本実施の形態において追加グラフ表示ボタンがユーザにより選択された後の検索結果表示領域における表示例を示す図である。
【発明を実施するための形態】
【００３８】
以下、図面に基づいて、本発明の好適な実施の形態について説明する。
【００３９】
本実施の形態における情報処理装置は、パーソナルコンピュータ（ＰＣ）等の従前から存在する汎用的なハードウェア構成で実現できる。すなわち、情報処理装置は、ＣＰＵ、ＲＯＭ、ＲＡＭ、ハードディスクドライブ（ＨＤＤ）等の記憶手段、ユーザインタフェースを内部バスに接続して構成される。ユーザインタフェースとしては、マウスやキーボード等の入力手段、ディスプレイ等の表示手段で構成される。もちろん、タッチパネル等入力手段と表示手段を兼用するユーザインタフェースで構成してもよい。
【００４０】
また、記憶手段は、情報処理装置に内蔵された構成要素に限定する必要はなく、ＬＡＮ（Ｌｏｃａｌ  Ａｒｅａ  Ｎｅｔｗｏｒｋ）やインターネット等のネットワークに接続された他の装置に設けられていてもよい。この場合、接続するネットワークに適合するネットワークインタフェースを内部バスに接続することになる。
【００４１】
図１は、本発明に係る情報処理装置の一実施の形態を示したブロック構成図である。本実施の形態における情報処理装置１０は、入出力部１１、入力解析部１２、検索実行部１３、検索支援情報生成部１４、表示制御部１５、制御部１６、語句関連情報記憶部１７及び語句コンテンツ関連情報記憶部１８を有している。なお、本実施の形態において説明に用いない構成要素については図から省略している。
【００４２】
入出力部１１は、上記ユーザインタフェースを介してデータの入出力を行う。入出力部１１に含まれる入力受付部１１１は、ユーザから入力されたデータを受け付ける。受け付けるデータは、質問文やユーザ操作等である。表示部１１２は、表示制御部１５による制御のもと検索実行部１３による検索処理の実行結果（以下、「検索結果」という）等を表示する画面や表示中の画面に情報の追加表示や表示内容の変更等の表示制御を行う。本実施の形態では、情報処理装置１０に接続されるディスプレイを表示先とし、情報処理装置１０に接続されるマウスやキーボード等を入力手段と想定して説明するが、外部の装置、例えばユーザ端末からインターネットを介して情報処理装置１０を利用させる場合、入出力部１１は、ネットワークインタフェースを介してデータを送受信することになる。
【００４３】
入力解析部１２は、入力受付部１１１により受け付けられたデータを解析して、ユーザにより行われた操作やデータの内容を認識する。ユーザにより検索条件として質問文が入力された場合、入力解析部１２は、その質問文から語句を抽出することによって、あるいはユーザ操作に応じて検索語句を特定する。「検索語句」というのは、検索実行部１３が検索を実行する際に用いる語句のことをいう。入力解析部１２は、原則、語句関連情報記憶部１７に設定登録されている語句と合致する語句を、検索実行部１３が用いる検索語句として特定する。なお、「語句」というのは、語や句を意味する。語句関連情報記憶部１７には、単なる語（単語）のみならず句も登録されることから、検索実行部１３は、句に基づき検索を実行する場合もあり得る。本実施の形態では、このような場合を考慮して「語句」と表現している。
【００４４】
また、「検索条件」というのは、検索実行部１３に検索を実行させる際にユーザが入力指定する条件である。基本的には、検索条件には、検索語句が指定される。検索範囲や情報の種類（画像等）等の付加的な設定が可能かもしれないが、本実施の形態では、付加的な設定は特に必要ないので、説明の便宜上、語句に限定して説明する。ユーザは、検索条件として、１又は複数の検索キーワードを指定する場合もあるが、本実施の形態では、自然文で指定されることを想定している。なお、本実施の形態では、検索語句を含む検索文は、質問文と同義であり、ユーザは検索語句を自然文に含めて入力するため、自然文とも同義である。
【００４５】
検索実行部１３は、入力解析部１２により特定された検索語句に基づき検索処理を実行する。本実施の形態では、検索実行部１３のコンテンツの検索先を語句コンテンツ関連情報記憶部１８に限定する。検索支援情報生成部１４は、語句関連情報記憶部１７及び語句コンテンツ関連情報記憶部１８を参照して、ユーザにより指定された検索条件に含まれる検索語句と、当該検索語句に紐付く語句及び事例、また場合によっては更に文書との関連性を示す検索支援情報を生成する。「検索語句に紐付く」というのは、語句関連情報に設定される語句の階層上、検索語句に直接紐付く場合と、検索語句の下位層に位置する語句に紐付く場合、すなわち検索語句に間接的に紐付く場合と、がある。
【００４６】
表示制御部１５は、制御部１６による制御のもと、検索支援情報生成部１４により生成された検索支援情報の表示制御及び検索実行部１３による検索結果の表示制御を行う。制御部１６は、後述する処理が実行されるよう各構成要素１１〜１５を制御する。
【００４７】
図２は、本実施の形態における語句関連情報記憶部１７に設定登録されている語句関連情報に含まれる各語句の関係性を模式的に示す図である。語句関連情報は、オントロジーに相当する辞書であり、複数の概念を意味的な関係性で関連付けることにより構造化された知識情報である。語句は、オントロジーによって定義される概念を表す名前である。図２に示すように、各語句は、語句間の意味的な関係性によって直接又は間接的に紐付けられ、この紐付けによって示される階層関係によって階層構造（階層上の上下関係）が示される。なお、語句関連情報には、他の語句と階層を形成しない語句が存在してもよい。語句関連情報において、階層の上位にある語句は、汎用的一般的な語句と認識され、階層の下位に位置する語句ほど専門性の高い語句や詳細な概念を表す語句と認識される。また、語句は、下位層に紐付く語句の総称、すなわち例えば下位層に位置する語句のグループ名（「クラス名」ともいう）などのように上位概念に相当する語句の場合がある。また、語句によっては、複数の直上の語句から紐付けられる場合がある。つまり、語句の中には、複数の異なる階層に組み込まれる場合がある。図２は、語句の関係性を示すための模式図であって、語句の実際の関係性や登録数、階層数はこれに限るものではない。
【００４８】
図３は、本実施の形態における語句コンテンツ関連情報記憶部１８に記憶される語句コンテンツ関連情報のデータ構成の一例を示す図である。語句コンテンツ関連情報は、語句関連情報と共に知識情報を形成する。語句コンテンツ関連情報は、語句とコンテンツとを紐付けるための情報である。語句コンテンツ関連情報には、語句に対応させてコンテンツ情報が設定される。語句は、語句関連情報に含まれている語句である。コンテンツ情報は、当該語句と関連性のあるコンテンツに関する情報であり、コンテンツＩＤ、データ及び事例／文書を含む。コンテンツＩＤは、各コンテンツを識別するための識別情報である。データは、コンテンツ自体である。なお、コンテンツデータの格納先情報を設定し、データの代わりに格納先情報を設定してもよい。本実施の形態では、事例及び文書という２種類のコンテンツを取り扱うが、事例／文書は、当該コンテンツの種別が事例若しくは文書であるかを示す情報である。
【００４９】
本実施の形態では、上記のように各コンテンツに対し、当該コンテンツの内容によって事例若しくは文書という種別を持たせている。文書は、通常、検索結果としてユーザに提供されるコンテンツである。検索結果に含まれるコンテンツの中に、ユーザが意図するコンテンツが含まれているとしても、専門性が相対的に高いコンテンツだとユーザが意図するコンテンツ、換言するとユーザが所望するコンテンツであるとユーザ自身が認識できない場合も考えられる。専門性が相対的に高いコンテンツとして、例えば、法律の条文などがこれに該当する。専門知識が相対的に低い一般的なユーザだと、自分自身で求めているコンテンツかどうかを判別できない可能性もある。一方、事例は、文書に対応させて用意されるコンテンツであり、文書の内容を事例的に紹介するコンテンツという位置付けにある。事例は、専門性が相対的に低いユーザでも文書より理解しやすい内容のコンテンツである。詳細は後述するように、本実施の形態では、ユーザの専門性の高低に従って最初に提供するコンテンツの種別を異ならせることができるようにしている。
【００５０】
前述したように、入力解析部１２は、ユーザにより入力された質問文の中から１又は複数の語句を抽出し、その抽出した語句を検索実行部１３による検索語句として特定することになるが、入力解析部１２が抽出する語句は、語句関連情報に登録されている必要がある。なお、入力解析部１２が抽出する語句と、語句関連情報に登録されている語句とが完全に一致していなくても、類義語等の関係で同じ語句とみなすことができるのであれば、入力解析部１２が抽出する語句は語句関連情報に登録されているとみなすようにしてもよい。語句コンテンツ関連情報記憶部１８に格納されているコンテンツが検索結果として選出されるためには、当該コンテンツに含まれている語句を洗い出すことによって抽出し、その抽出した語句と他の語句との関係性を定義して語句関連情報記憶部１７に登録する必要がある。このように、語句関連情報に設定する語句と、語句コンテンツ関連情報記憶部１８に登録されているコンテンツに含まれている語句とを関連付けるためには、語句関連情報を語句コンテンツ関連情報記憶部１８に登録されているコンテンツを参照して生成するのが好ましい。
【００５１】
情報処理装置１０における各構成要素１１〜１６は、情報処理装置１０を形成するコンピュータと、コンピュータに搭載されたＣＰＵで動作するプログラムとの協調動作により実現される。また、各記憶手段１７，１８は、情報処理装置１０に搭載されたＨＤＤにて実現される。あるいは、ＲＡＭ又は外部にある記憶手段をネットワーク経由で利用してもよい。
【００５２】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００５３】
図４は、本実施の形態における表示制御部１５が表示対象とする検索サービス画面の概略的な画面構成の一例を示す図である。検索サービス画面２０には、対話表示領域２１及び検索結果表示領域２２が含まれている。本実施の形態では、ユーザと対話形式にて検索サービスを提供するが、対話表示領域２１は、そのユーザとシステム（すなわち、情報処理装置１０）との入出力部１１を介した対話の内容を表示するための領域である。例えば、質問文等ユーザにより入力された内容、ユーザへの問合せ内容、問合せに対するユーザからの回答、検索語句等が対話形式にて表示される。検索結果表示領域２２は、検索実行部１３による検索結果を所定の形式にて表示するための領域である。所定の形式には、一般的な一覧表示と、本実施の形態において特徴とするグラフ形式とがある。
【００５４】
次に、本実施の形態における情報処理装置１０が提供する検索処理について図５に示すフローチャートを用いて説明する。
【００５５】
前述したように、ユーザは、検索サービス画面２０を利用することで情報処理装置１０と対話形式にて検索を実行することができる。そのため、ユーザは、検索を実行したい場合、所定の画面表示操作を行う。表示制御部１５は、ユーザの画面表示操作に応じて図４に示す検索サービス画面２０を画面表示させる。そして、ユーザは、検索サービス画面２０の対話表示領域２１に検索文を入力する。
【００５６】
なお、ユーザが検索を実行するというのは、情報処理装置１０が提供する検索サービスを利用して検索を行うことを意味する。一方、情報処理装置１０の検索実行部１３が検索を実行するというのは、検索処理アプリケーションを実行することによりユーザの指定に基づく検索語句と関連性の高い情報（コンテンツ）を抽出し、その抽出したコンテンツを検索結果としてユーザに提示するという検索サービス（検索処理）を実行することを意味する。
【００５７】
入力受付部１１１は、対話表示領域２１に入力された検索文を受け付けると（ステップ１０１）、入力解析部１２は、入力された内容を解析して情報の種類を特定する。ここでは、入力受付部１１１が受け付けた情報は、対話表示領域２１からユーザにより入力された情報であり自然文であることから検索文であると特定できる。検索文の場合、入力解析部１２は、検索文を解析して検索語句を特定する（ステップ１０２）。
【００５８】
図６は、本実施の形態における検索処理の際に対話表示領域２１に表示される内容の一例を示す図である。この表示例によると、入力解析部１２は、ユーザにより入力された質問文Ｕ０１から検索語句として「貨物」及び「課税」を特定したことがわかる（Ｃ０１）。なお、図６に示す対話表示領域２１への表示例において、図面右側からの吹き出しは、ユーザによる入力に基づく表示であり、図面左側からの吹き出しは、情報処理装置１０による出力に基づく表示である。厳密には、情報処理装置１０がユーザによる入力を受け付け処理することで対話表示領域２１に表示させているかもしれないが、ユーザによる入力内容は、情報処理装置１０による出力に基づく表示と分けて対話表示領域２１に表示させる。また、各吹き出しに該当しない矩形形状の表示は、情報処理装置１０が表示する表示部品（選択ボタン）である。ユーザは、この選択ボタンを選択することによって情報処理装置１０に処理を指示したりする。図６には、説明は後述するグラフ表示ボタン３１が表示されている例が示されている。
【００５９】
入力解析部１２によって検索文の中に含まれている検索語句が特定されると、検索実行部１３は、まずユーザモードを特定する（ステップ１０３）。検索実行部１３は、ユーザモードに応じた検索処理を実行することになるが、ここで、ユーザモードについて説明する。ここでは、説明の便宜上、検索語句は１つであるものとする。
【００６０】
ユーザは、検索を実行する際に上記の通り検索語句を含む検索文を入力する。そして、検索語句は、語句関連情報に設定されている必要があるが、検索実行部１３は、ユーザにより入力された検索語句が語句関連情報によって示される語句の階層上、どの位置にあるのかを特定する。前述したように、語句関連情報において、階層の上位にある語句は、汎用的一般的な語句と認識され、階層の下位に位置する語句ほど専門性の高い語句や詳細な概念を表す語句と認識される。つまり、検索語句が階層上、上位に位置する語句に対応するのであれば、当該検索語句は汎用的一般的な語句（以下、「一般語句」ともいう）に相当し、一方、下位に位置する語句に対応するのであれば、当該検索語句は専門性のある語句（以下、「専門語句」ともいう）に相当すると判別する。そして、一般語句を検索語句として指定したユーザを「一般ユーザ」と、専門語句を検索語句として指定したユーザを「専門ユーザ」と、それぞれ称することになる。なお、ユーザは、指定した検索語句を用いる分野において一般ユーザ又は専門ユーザと判別される。つまり、ユーザは、分野毎に一般ユーザ又は専門ユーザと判別される。一般語句と専門語句（すなわち、一般ユーザと専門ユーザ）とは、階層上における当該語句の位置と所定の閾値との比較により判別される。
【００６１】
なお、語句関連情報には、最上位置に位置する語句が複数存在し、最上位層の語句毎に分野が対応付けられる。つまり、最上位層から下位層に位置する語句によって当該分野において用いられる語句が規定される。
【００６２】
このように、検索実行部１３による検索処理において、検索文を入力したユーザが一般ユーザと判定された場合に実行されるモードがユーザモードであり、専門ユーザと判定された場合に実行されるモードが専門モードである。ユーザモードで検索処理が実行されると、検索支援情報をグラフ形式にて表示するが、これは、ユーザにより入力された検索語句が語句関連情報によって示される階層上、どの位置にあるのかによって、換言すると語検索語句が一般語句とみなされるか、専門語句とみなされるかによって決定されることになる。本実施の形態では、以下に説明する閾値との比較に基づく判定条件のいずれかを用いる。
【００６３】
前述したように、語句関連情報によって語句の階層関係が規定され、語句コンテンツ関連情報によって語句とコンテンツ（事例及び文書）との関連性が規定されている。図７は、図２及び図３に示す語句関連情報及び語句コンテンツ関連情報に基づく語句とコンテンツとの関連性を示す模式図であるが、図７に示すように、事例のいくつかは、語句の階層の最下位に位置する語句と直接紐付けられることで検索語句と事例との関連性が示されている。なお、ここでは、図７に示す「貨物」がただ１つ指定された検索語句３２として説明する。
【００６４】
第１の判定条件として、検索語句と当該検索語句に紐付く事例（厳密には、検索語句を含む階層上の最下位層に位置する語句と直接紐付く事例）との間の階層数が所定の閾値より多い場合に、当該検索語句は一般語句と判定して検索支援情報を表示させるようにする。例えば、図７によると、最下位層に位置する「携帯輸入貨物」に直接紐付く「Ａ事例」は、検索語句３２である「貨物」から３階層目に紐付けられている。検索語句を含む階層上、検索語句と最下位層に位置する語句に直接紐付く事例との間の階層数が多いということは、検索語句は相対的に上位層に位置する語句と想定できる。つまり、一般語句である可能性が高いといえる。そこで、本実施の形態では、階層数を所定の閾値と比較して、その階層数が所定の閾値より多い場合、当該検索語句は一般語句であり、その検索語句を入力したユーザは、一般ユーザと判定する。
【００６５】
その一方、検索語句と最下位層に位置する語句に直接紐付く事例との間の階層数が少ないということは、検索語句は相対的に下位層に位置する語句と想定できる。つまり、専門語句である可能性が高いといえる。そこで、本実施の形態では、階層数が所定の閾値以下の場合、当該検索語句は専門語句であり、その検索語句を入力したユーザは、専門ユーザと判定する。
【００６６】
第２の判定条件として、検索語句を含む階層における最上位層の語句から当該検索語句までの階層数が所定の閾値より少ない場合に前記検索支援情報を表示させるようにする。例えば、図７によると、検索語句３２である「貨物」は最上位層に位置するので、最上位層の語句から「貨物」までの階層数は０である。なお、検索語句は、最上位置に位置する語句とは限らず、最上位層と最下位層との間に位置する場合がある。検索語句を含む階層上、検索語句と最上位層に位置する語句との間の階層数が少ないということは、検索語句は相対的に上位層に位置する語句と想定できる。つまり、一般語句である可能性が高いといえる。そこで、本実施の形態では、階層数を所定の閾値と比較して、その階層数が所定の閾値より少ない場合、当該検索語句は一般語句であり、その検索語句を入力したユーザは、一般ユーザと判定する。
【００６７】
その一方、検索語句と最上位層に位置する語句との間の階層数が多いということは、検索語句は相対的に下位層に位置する語句と想定できる。つまり、専門語句である可能性が高いといえる。そこで、本実施の形態では、階層数が所定の閾値以上の場合、当該検索語句は専門語句であり、その検索語句を入力したユーザは、専門ユーザと判定する。
【００６８】
なお、以上の説明から明らかなように、基本的な処理においては、ユーザモードにおける一般モードと、検索語句における一般語句と、ユーザにおける一般ユーザとは、対応付けられる。
【００６９】
上記説明では、便宜的に検索語句が１つのみの場合で説明した。検索条件に複数の検索語句が含まれている場合、一般語句と専門語句が混在する可能性がある。この場合、多数決、重要性の高いと推定される語句に重みを持たせるなど所定の規則に従っていずれかのユーザモードに特定する必要がある。
【００７０】
以上説明したように、ユーザモードは、ユーザが検索文の中に指定した語句によって決定されることになる。ユーザが図６に示すように質問文として「貨物を輸入した場合、課税されませんか？」と入力したとする。図７に例示する階層関係に基づくと、「貨物」は「貨物」を含む階層上、最上位に位置する語句であることから、検索実行部１３により一般語句と特定されるとする。つまり、この質問文からユーザモードは一般モードと特定される。
【００７１】
また、例えば、ユーザが対話表示領域２１から質問文として「一般申告課税貨物を輸入した場合、消費税は課税されませんか？」と入力したとする。図７に例示する階層関係に基づくと、「一般申告課税貨物」はコンテンツに直接紐付く最下位層の語句であることから、検索実行部１３により専門語句と特定されるとする。つまり、この質問文からユーザモードは専門モードと特定される。
【００７２】
図５に戻り、ユーザモードが専門モードの場合（ステップ１０４でＮ）、検索実行部１３は、語句コンテンツ関連情報記憶部１８に格納されているコンテンツのうち種別が文書であるコンテンツを対象として検索を実行する（ステップ１１６）。そして、表示制御部１５は、検索実行部１３により検索結果として得られたコンテンツのリストを表示部１１２に表示させる（ステップ１１７）。この専門モードで検索が実行されたときに検索結果表示領域２２に表示される検索結果の表示例を図８に示す。図８では、専門語句に基づく検索であることから検索結果としてＢ文書及びＤ文書という相対的に少ない数のコンテンツが得られていることを示している。これにより、ユーザが意図するコンテンツは上位に表示される可能性が高くなる。なお、「コンテンツが得られている」とはいっても、検索結果表示領域２２には、検索結果としてコンテンツ自体が表示されるわけではなく、コンテンツのリストが表示されるだけである。ユーザは、意図するコンテンツをクリック選択すれば、文書の内容を閲覧することができる。
【００７３】
ところで、複数のコンテンツが検索結果に含まれる場合、本実施の形態では、検索結果（すなわち、コンテンツのリスト）を、関連度の高い順に並べて検索結果表示領域２２に表示させる。関連度を所定の閾値と比較し、関連度がその閾値以上となる文書のみを表示させるようにしてもよい。ここで、「関連度」について図９を用いて説明する。
【００７４】
図９には、自然文で入力された検索文と、その検索文から抽出された語句に基づき検索によりたどり着くコンテンツとの関係が示されている。コンテンツは、語句コンテンツ関連情報記憶部１８に格納されている。図９に示す語句とコンテンツとの関係によると、検索文からは、「消費税額」及び「特例」という２つの語句が検索語句として抽出されていることからコンテンツにたどり着くまで２経路存在する。そして、各経路においてコンテンツにたどり着くまでに語句関連情報記憶部１７を経由する語句の数（以下、「ホップ数」という）を求める。まず、「消費税額」からのホップ数は、「消費税額」、「税額」及び「所得税額」の３である。一方、「特例」からのホップ数は、「特例」のみで１である。関連度は、経路数が同じ場合、ホップ数が小さいほど関連度が高くなり、関連度が高いほど検索文とコンテンツとの関連性が高いということができる。
【００７５】
なお、本実施の形態では、検索結果と検索語句との関連性を示す指標値として関連度を用いて検索結果の並び順を決めていたが、関連度以外の指標、例えば、ｔｆ−ｉｄｆ（Ｔｅｒｍ  Ｆｒｅｑｕｅｎｃｙ  Ｉｎｖｅｒｓｅ  Ｄｏｃｕｍｅｎｔ  Ｆｒｅｑｕｅｎｃｙ）などの指標に基づき決定してもよい。
【００７６】
前述した専門モードでの処理においては、検索実行部１３がユーザモードを判別し、また、関連度の計算、閾値との比較を行うことを想定して説明した。ただ、検索実行部１３は、単に検索語句に基づき検索を実行し、検索支援情報生成部１４又は表示制御部１５が語句関連情報記憶部１７及び語句コンテンツ関連情報記憶部１８を参照して、ユーザモードを判別し、検索実行部１３による検索結果の中から種別が文書のコンテンツを抽出し、関連度を計算し、閾値に基づき表示対象とするコンテンツを絞り込むことによって図８に示す検索結果が表示されるよう処理してもよい。つまり、専門モードの場合も検索支援情報生成部１４が検索結果の表示に関わるように処理してもよい。
【００７７】
一方、ユーザモードが一般モードの場合（ステップ１０４でＹ）、検索実行部１３は、語句コンテンツ関連情報記憶部１８に格納されているコンテンツのうち種別が事例であるコンテンツを対象として検索を実行する（ステップ１０５）。ここでは、全ての検索語句に紐付く事例であって検索語句の最下位層に位置する語句に直接紐付く事例を検索結果として得るように検索を実行する。もちろん、少なくとも１つの検索語句に紐付く事例を検索結果として得るようにしてもよい。続いて、検索支援情報生成部１４が検索実行部１３による検索結果に基づき検索支援情報を生成すると（ステップ１０６）、表示制御部１５は、表示部１１２に、生成された検索支援情報をグラフ形式にて検索結果表示領域２２に表示させる（ステップ１０７）。
【００７８】
図１０は、仮に一般モードで検索が実行されたとしても、図８に示す専門モードと同様に検索結果として得られるコンテンツ（文書）のリストを一覧表示形式にて表示させた場合の表示例を示す図である。この場合、「貨物」の下位層には、「一般申告課税貨物」と比較して数多くの文書が直接又は間接的に紐付けられることになるため、検索結果数も多くなる。このため、ユーザが意図するコンテンツが検索結果の中に含まれていたとしても上位に表示されるとは限らず、検索結果表示領域２２の中からユーザが意図するコンテンツを見つけにくい状態となる可能性が高くなる。
【００７９】
図１１は、一般モードによる検索が実行されることで生成された検索支援情報をグラフ形式にて表示した場合の表示例を示す図である。なお、表示制御部１５が検索支援情報を表示した時点では、コンテキストメニュー３３は表示されていない状態である。図１１に示す表示例から明らかなように、「貨物」からコンテンツ（事例）までの階層関係が一目瞭然に把握できる。このように、検索支援情報は、検索語句に紐付く事例との関連性を示す情報であるが、図１１では、検索語句を含む階層の下位層に位置する語句のうち最下位層に位置する語句に直接紐付く事例のみを表示させる例を示している。更に、検索語句との関連度が所定値以上となる事例に限定して表示させるようにしてもよい。
【００８０】
なお、表示対象とする事例を最下位層に絞り込む処理は、表示制御部１５が行ってもよいし、検索支援情報生成部１４が行って、表示制御部１５は、検索支援情報生成部１４が生成した検索支援情報を単にグラフ形式に表示させるように処理してもよい。
【００８１】
また、前述したように、検索実行部１３は、単に検索語句に基づき検索を実行し、検索支援情報生成部１４又は表示制御部１５が語句関連情報記憶部１７及び語句コンテンツ関連情報記憶部１８を参照してユーザモードを判別し、検索実行部１３による検索結果の中から種別が事例のコンテンツを抽出し、関連度を計算し、閾値に基づき表示対象とするコンテンツを絞り込むことによって検索結果を図１１に例示したグラフ形式にて表示されるよう処理してもよい。
【００８２】
ユーザは、絞り込まれた検索結果を得たくても、専門語句を指定できる知識がないため適切な語句を指定できない。本実施の形態では、「貨物」から各コンテンツまでの間に位置する語句を選択可能に表示している。従って、ユーザは、検索結果を絞り込むためにはどの語句を指定（つまり、選択）すればよいのかのヒントを得ていることになる。このようにして、ユーザは、絞込検索を行うことができるので、意図するコンテンツを見つけやすい検索結果を得ることが可能となる。
【００８３】
そして、本実施の形態では、図１１に示すようにコンテンツとして事例のみを表示させている。一般ユーザにとっては、当該ユーザが意図するコンテンツ（種別が文書のコンテンツ）を得るために、当該コンテンツを事例にて紹介するコンテンツを参照するのが好適である。そこで、ユーザは、閲覧したい事例を右クリックなど所定のメニュー表示操作をすることで選択する。入力受付部１１１は、このユーザ操作を受け付け、入力解析部１２がユーザによりメニュー表示操作がされたことを認識する。
【００８４】
なお、入力解析部１２は、入力受付部１１１が受け付けた内容を解析して検索文であることや操作指示であることを判別し、制御部１６は、その判別した結果に応じて該当する処理を検索実行部１３等に実行させるが、以降の説明では、入力受付部１１１及び入力解析部１２の処理については適宜説明を省略する。
【００８５】
ユーザによりメニュー表示操作がされると、表示制御部１５は、図１１に示すコンテキストメニュー３３を、選択された事例に対応させて表示させる。コンテキストメニュー３３の中には、「事例を閲覧」と「事例を選択」という項目が含まれている。ここで、ユーザは、事例の内容を参照したい場合、「事例を閲覧」を選択する。「事例を閲覧」を選択すると（ステップ１０８でＹ）、検索支援情報生成部１４は、ユーザにより選択された事例を語句コンテンツ関連情報記憶部１８から読み出し、表示制御部１５は、その事例を表示させる（ステップ１１２）。例えば、検索サービス画面２０上にコンテンツ表示領域を形成して表示するようにしてもよい。ユーザは、このように１又は複数の事例の内容を参照することによって、所望の文書（つまり、ユーザが意図するコンテンツ）に対応する事例を特定する。
【００８６】
ユーザが事例を特定すると、その事例に対応させて表示させたコンテキストメニュー３３の中の「事例を選択」を選択する。「事例を選択」を選択すると（ステップ１０８でＮ，１０９でＹ）、検索支援情報生成部１４は、語句コンテンツ関連情報記憶部１８を参照して、ユーザにより選択された事例に直接紐付けられている語句を特定し、その特定した語句に直接紐付く文書を特定する（ステップ１１０）。そして、検索支援情報生成部１４は、特定された文書を含めるよう表示中の検索支援情報を更新する。なお、検索語句との関連度が所定値以上となる文書に限定して検索支援情報に含めるようにしてもよい。これにより、表示制御部１５は、特定された文書、すなわち選択された事例に関連する文書をグラフ形式にて表示されている検索支援情報に追加表示させる（ステップ１１１）。
【００８７】
図１１には、「Ｂ事例」が選択された場合の表示例が示されており、図１２には、選択されたことによって「Ｂ事例」に関連する文書３４、すなわち「Ｂ文書」及び「Ｄ文書」が表示中の画面に追加して表示された場合の例が示されている。
【００８８】
なお、上記説明では、検索支援情報生成部１４が語句コンテンツ関連情報記憶部１８を参照して該当する文書を特定するようにしたが、検索実行部１３が検索語句に基づき検索を実行させることで検索結果として文書を得るようにしてもよい。また、ユーザにより選択された事例（「Ｂ事例」）に関連する文書３４のみを表示対象としたが、事例と同様に検索語句の下位層に位置する語句のうち最下位層に位置する語句の紐付く文書を表示対象としてもよい。
【００８９】
そして、ユーザが追加表示された文書の中から意図する文書をクリック選択すれば、その文書のデータは、語句コンテンツ関連情報記憶部１８から読み出されて表示される。例えば、検索サービス画面２０上にコンテンツ表示領域を形成して表示するようにしてもよい。
【００９０】
ユーザが一般ユーザの場合、前述したように検索文の入力に応じて文書をいきなり表示させるのではなく、ユーザが意図する文書を見つけやすいように事例をいったん表示させ、その表示された事例の中からユーザが意図するコンテンツに関連付いているであろう事例をユーザに選択させるようにした。本実施の形態の場合、検索語句に紐付く最下位層の語句に直接紐付く事例のみを抽出して検索支援情報に含めて表示させるようにした。ただ、最下位層に位置する語句に直接紐付く事例の中に、ユーザが期待する事例が表示されるとは限らない。
【００９１】
そこで、図１３に示すように検索結果表示領域２２上に追加グラフ表示ボタン３５を表示させるようにしてもよい。ユーザが追加グラフ表示ボタン３５を選択すると（ステップ１０９でＮ，１１３でＹ）、検索支援情報生成部１４は、最下位層に位置する語句に限定していたところをその限定を外し、検索語句に直接又は間接的に紐付く事例を含めるよう表示中の検索支援情報を更新する。つまり、表示中の検索支援情報に含めていなかった事例との関連性を検索支援情報に追加する。これにより、表示制御部１５は、新たに得られた事例を検索結果表示領域２２に追加表示させる（ステップ１１５）。図１３には、追加表示された事例３６として「Ｅ事例」及び「Ｆ事例」が示されている。
【００９２】
本実施の形態によれば、一般ユーザに対しては、有効な検索結果が得られるように検索支援情報をグラフ形式にて提供できるようにした。なお、検索支援情報は、検索文の入力に応じて表示されるので、検索結果ともいうことができる。そして、ユーザは、グラフ形式にて表示された検索支援情報を参照することによって、コンテンツが単に一覧表示される場合に比して、ユーザが意図する検索結果、すなわちユーザが所望するコンテンツまで簡便にたどり着きやすくなる。
【００９３】
なお、本実施の形態では、検索支援情報のグラフ形式での提供は、検索文を入力したユーザが一般ユーザであることが判別できると自動的に行うようにしていたが、一般ユーザからの指示に応じて行うようにしてもよい。例えば、図６に示すようにグラフ表示ボタン３１を選択可能に対話表示領域２１に表示させると共に、検索支援情報は、図１０に示すように一覧形式にて表示させる。そして、一般ユーザがグラフ表示ボタン３１を選択すると、その選択操作に応じてユーザモードにて、すなわち図１１に示すように検索支援情報をグラフ形式にて表示させる。
【００９４】
また、事例のグラフ形式での表示は一般ユーザに限定して実施していたが、専門ユーザに対しても提供できるようにしてもよい。この場合もグラフ表示ボタン３１を選択可能に対話表示領域２１に表示させればよい。そして、専門ユーザがグラフ表示ボタン３１を選択すると、その選択操作に応じてユーザモードにて動作し、すなわち図１１に示すように検索支援情報をグラフ形式にて表示させる。
【符号の説明】
【００９５】
１０  情報処理装置、１１  入出力部、１２  入力解析部、１３  検索実行部、１４  検索支援情報生成部、１５  表示制御部、１６  制御部、１７  語句関連情報記憶部、１８  語句コンテンツ関連情報記憶部、２０  検索サービス画面、２１  対話表示領域、２２  検索結果表示領域、３１  グラフ表示ボタン、３２  検索語句、３３  コンテキストメニュー、３５  追加グラフ表示ボタン、１１１  入力受付部、１１２  表示部。
【図１】
2020113048.tif 000003
【図２】
2020113048.tif 000004
【図３】
2020113048.tif 000005
【図４】
2020113048.tif 000006
【図５】
2020113048.tif 000007
【図６】
2020113048.tif 000008
【図７】
2020113048.tif 000009
【図８】
2020113048.tif 000010
【図９】
2020113048.tif 000011
【図１０】
2020113048.tif 000012
【図１１】
2020113048.tif 000013
【図１２】
2020113048.tif 000014
【図１３】
2020113048.tif 000015